(57)【要約】【課題】例えば結婚式で使用した場合に、新郎と新婦の双方にとって、貴重な記念品となりうる再利用可能な祝儀袋を提供する。【解決手段】祝儀袋１０は、袋本体部２０と、身体や衣服に付けて再利用することができる装身具部３０とを備えている。袋本体部２０は、ハンカチ等の布材を折り畳んで形成した袋部２１と、袋部２１に嵌められる水引部２２と、献辞や贈主の氏名等を記入するための短冊２３と、紙幣等を入れる中袋とを有する。中袋は袋部２１によって包まれている。装身具部３０は、装身具本体部３１と、金属製の留具部３２とを有する。装身具部３０は留具部３２により袋本体部２０の水引部２２に着脱自在に取着される。装身具部３０としてはお花をモチーフとしたアクセサリーであるコサージュを用いている。【選択図】図１
2014084170.tif 000002
【特許請求の範囲】
【請求項１】
布材を折り畳んで形成した袋部を有する袋本体部と、
前記袋本体部に着脱自在に取り付けるための取着手段を有し、身体又は衣服に付けて再利用することができる装身具部と、
を具備することを特徴とする祝儀袋。
【請求項２】
前記袋部はハンカチ、手拭い又はネッカチーフであり、前記装身具部はコサージュであり、前記取着手段は衣服に付けるためのピン部及び髪につけるためのクリップ部の少なくとも一方を有するものであることを特徴とする請求項１記載の祝儀袋。
【発明の詳細な説明】
【技術分野】
【０００１】
本発明は、例えば結婚式などの慶事に贈呈する紙幣等を包むための祝儀袋に関するものである。
【背景技術】
【０００２】
従来、例えば結婚式で新郎・新婦に贈る紙幣を包むための祝儀袋は、紙を折り畳んで袋状に形成した袋体と、その袋体の胴部に巻着される水引とで構成されている。また、近年、紙の代わりに、ハンカチ等の布を折り畳たんで袋状に形成した袋体を有する祝儀袋も市販されている（例えば、特許文献１参照。）。この布製の袋体を使用した祝儀袋を贈られた者は、袋体を展開して、ハンカチ等として再利用することが可能である。
【先行技術文献】
【特許文献】
【０００３】
【特許文献１】特開平９−２７８０４１号公報
【発明の概要】
【発明が解決しようとする課題】
【０００４】
しかしながら、例えば、特許文献１に記載された発明のような、布製ハンカチの袋体を有する祝儀袋を結婚式で使用した場合、新郎又は新婦の何れか一方が袋体であるハンカチを再利用することとなる。例えば新婦がそのハンカチを使用する場合、新婦にとってはそのハンカチは結婚式の良き思い出の品となり、その祝儀袋を持ってきた人の気持ちが伝わり、長く記憶に残るようになる。これに対して、新郎には記念となる再利用可能な品物が残らない。したがって、従来の祝儀袋では、新郎が、その祝儀袋を持ってきた人のことを長く記憶に留めるのは難しい。結婚の記念として新郎と新婦の二人を祝うのに使用する祝儀袋であるから、新郎・新婦のどちらか一人にとって記念となるのではなく、二人にとって記念となる再利用可能な祝儀袋が要望されている。しかしながら、現在このような要望に対応できる祝儀袋は存在していない。
【０００５】
本発明は上記事情に基づいてなされたものであり、例えば結婚式で使用した場合に、新郎と新婦の双方にとって、貴重な記念品となりうる再利用可能な祝儀袋を提供することを目的とするものである。
【課題を解決するための手段】
【０００６】
上記の目的を達成するための本発明に係る祝儀袋は、布材を折り畳んで形成した袋部を有する袋本体部と、袋本体部に着脱自在に取り付けるための取着手段を有し、身体又は衣服に付けて再利用することができる装身具部と、を具備することを特徴とするものである。
【０００７】
上記の構成により、本発明の祝儀袋では、装身具部が取着手段により袋本体部に着脱自在に取着されているので、本発明の祝儀袋を例えば結婚式で使用し、その袋本体部の袋部として例えばハンカチを用いれば、袋部はハンカチとして新郎が再利用することができ、装身具部は新婦が再使用することができるので、新郎と新婦の二人が本発明の祝儀袋を結婚の記念として再利用することができる。
【０００８】
また、本発明に係る祝儀袋において、袋部はハンカチ、手拭い又はネッカチーフであり、装身具部はコサージュであり、取着手段は衣服に付けるためのピン部及び髪につけるためのクリップ部の少なくとも一方を有するものであることが望ましい。これにより、新郎は袋部をハンカチ、手拭い又はネッカチーフとして再利用することができ、新婦はコサージュを胸や髪に付けて再利用することができる。
【発明の効果】
【０００９】
本発明に係る祝儀袋によれば、装身具部が取着手段により袋本体部に着脱自在に取着されているので、本発明の祝儀袋を例えば結婚式で使用した場合、新郎及び新婦はその贈られた祝儀袋において装身具部を袋本体部から取り外して、例えば新郎が袋本体部の袋部をハンカチ等として再利用することができ、新婦は装身具部を身体や衣服に付けて再利用することができる。
【図面の簡単な説明】
【００１０】
【図１】図１は本発明の一実施形態である祝儀袋の概略斜視図である。
【図２】図２は本実施形態の祝儀袋における袋部を説明するための概略平面図である。
【図３】図３は本実施形態の祝儀袋における装身具部の概略斜視図である。
【発明を実施するための形態】
【００１１】
以下に、図面を参照して、本願に係る発明を実施するための最良の形態について説明する。図１は本発明の一実施形態である祝儀袋の概略斜視図である。
【００１２】
本実施形態の祝儀袋１０は、図１に示すように、袋本体部２０と、その袋本体部２０に着脱自在に取着された装身具部３０とを備えている。装身具部３０としては、例えばお花をモチーフとしたアクセサリーであるコサージュを用いている。
【００１３】
袋本体部２０は、図１に示すように、袋部２１と、水引部２２と、短冊２３と、中袋２５（図２参照）とを有する。袋部２１は布材を折り畳んで形成されたものである。本実施形態では、布材として例えばハンカチを用いている。このため、袋部２１を展開すると、その展開後の袋部２１はハンカチとして使用可能である。
【００１４】
水引部２２は、３本のよった紙を用いて、その両端部を重ねて接着することによりリング状に形成したものであり、折り畳んで形成された袋部２１に嵌められる。水引部２２はリング状に形成されているので、水引部２２を容易且つ迅速に袋部２１に嵌めて、布製の袋部２１が広がるのを防止することができる。なお、本実施形態では、水引部２２をリング状に形成しているが、本発明はこれに限定されるものではなく、水引部を既存の水引のように結ぶようにしてもよい。また、よった紙の本数は３本でなく、例えば５本でもよい。
【００１５】
短冊２３及び中袋２５は紙で作られている。短冊２３はその表面に献辞や贈主の氏名等を記入するものであり、中袋２５は紙幣等を入れるものである。この中袋２５は袋部２１によって包まれている。
【００１６】
次に、広げた状態のハンカチから袋部２１を形成する手順を説明する。図２は本実施形態の祝儀袋１０における袋部２１を説明するための概略平面図である。袋部２１は、一枚のハンカチを折り畳んで、中袋２５を包むことにより形成される。以下では、説明の便宜上、袋部２１をハンカチ２１とも表記して説明する。
【００１７】
本実施形態で使用するハンカチ２１は４８５ｍｍ×４８５ｍｍの正方形状のものであり、中袋２５は縦１８０ｍｍ、横１００ｍｍの長方形状のものである。中袋２５はハンカチ２１上の所定位置に載置される。正方形状のハンカチ２１を折り畳むには、まず、正方形のハンカチ２１の左端縁部２１ａが中袋２５の略２分の１程度を覆うように（折り曲げ幅約５５ｍｍ）、その左端縁部２１ａをハンカチ２１の中心部に向かって折り曲げる。このとき、中袋２５は表側が上になっている。一方、ハンカチ２１の右端縁部２１ｂは、折り曲げ幅が約４０ｍｍとなるようにハンカチ２１の中心部に向かって折り曲げる。図２にはこのようにして折り畳んだ状態のハンカチ２１が示されている。
【００１８】
次に、ハンカチ２１を中袋２５と一緒に、中袋２５の側端縁に対応する折り畳み線ｘ１に沿って、ハンカチ２１の中心部に向かって折り畳む。このとき、中袋２５は表側が下になっている。次に、同様にして、ハンカチ２１を中袋２５と一緒に、中袋２５の幅に対応する位置にある折り畳み線ｘ２に沿ってもう一度折り畳む。このとき、中袋２５は表側が上になっている。その後、ハンカチ２１の右端部２１ｅを、中袋２５を包み込んだ部分を上から覆うように、折り畳み線ｘ３に沿って折り畳む。このとき、その折り畳んだ右端部２１ｅの幅は約７５ｍｍとなり、中袋２５を包み込んだ部分の上に、約３分の２程度重なるようになる。こうして短冊状に折り畳まれたハンカチ２１が得られる。
【００１９】
次に、短冊状に折り畳まれたハンカチ２１を、図２に示す上端部２１ｃを中袋２５の上端縁に対応する折り畳み線ｙ１に沿って図２の裏側方向に折り畳む。最後に、ハンカチ２１の下端部２１ｄを中袋２５の下端縁に対応する折り畳み線ｙ２に沿って図２の裏側方向に折り畳む。このようにして折り畳んだハンカチ２１に水引部２２を嵌めて、ハンカチ２１が広がらないように止める。これにより、図１に示す祝儀袋１０の袋部２１を形成することができる。なお、上述の手順でハンカチ２１を折り畳むことによりハンカチ２１に包まれた中袋２５はその表側が袋部２１の表側に位置するようになる。
【００２０】
次に、装身具部３０について説明する。図３は本実施形態の祝儀袋１０における装身具部３０の概略斜視図である。この装身具部３０は、図３に示すようにコサージュであり、それ単体で、身体や衣服に付けて再利用することが可能である。装身具部３０は、図３に示すように、装身具本体部３１と、留具部（取着手段）３２とを備えている。装身具本体部３１は布材により花の形状に形成されている。また、留具部３２は金属製であり、身体の髪などに装身具部３０を止めることができるクリップ部３２ａと、胸に相当する衣服の部分等に装身具部３０を止めることができるピン部３２ｂとを備えている。例えば、クリップ部３２ａとしてヘアクリップが用いられ、ピン部３２ｂとしてブローチピンが用いられる。装身具本体部３１は留具部３２に例えば接着剤で接着される。なお、布製の装身具本体部３１や金属製の留具部３２は既知のものであるので、ここではその詳細な説明は省略する。
【００２１】
装身具部３０は、クリップ部３２ａにより、袋本体部２０の水引部２２に着脱自在に取着される。こうして、図１に示すような祝儀袋１０が得られる。なお、袋本体部２０の袋部２１と装身具部３０とは布材で形成しているので、袋部２１と装身具部３０とは、例えば同じ柄の布材を用いることにより、容易にデザイン的に統一のとれたものとすることができる。
【００２２】
本実施形態の祝儀袋１０は図１に示す完成形の状態で販売される。このため、この祝儀袋１０を使用するときには、まず、装身具部３０のクリップ部３２ａを広げて装身具部３０を水引部２２から取り外す。次に、水引部２２を袋部２１から外して、折り畳んだ袋部（ハンカチ）２１を広げ、内部に包んである中袋２５を取り出す。その取り出した中袋２５の中に所定の金額の紙幣を入れる。その後、図２を用いて説明した、広げた状態のハンカチから袋部２１を形成する手順に従い、紙幣を入れた中袋２５を包むようにしてハンカチ２１を折り畳む。ここで、ハンカチ２１には折り目が付いているので、使用者はこの折り畳み作業を容易に行うことができる。次に、折り畳んだハンカチ２１にリング状の水引部２２を嵌める。最後に、短冊２３を水引部２２に挟み込むと共に、クリップ部３２ａを用いて装身具部３０を水引部２２に取り付ける。
【００２３】
このようにして用意した祝儀袋１０を例えば結婚式で使用すると、この祝儀袋１０を贈られた新郎・新婦は、その祝儀袋１０を再利用することができる。すなわち、本実施形態の祝儀袋１０では、袋本体部２０の袋部２１として上述したようにハンカチを折り畳んで形成したものを使用しているので、このハンカチは例えば新郎が再利用することができる。また、本実施形態の祝儀袋１０では、装身具部３０としてコサージュを用いているので、このコサージュは新婦が胸に付けたり、髪に付けたりして再利用することができる。
【００２４】
本実施形態の祝儀袋によれば、装身具部が留具部により袋本体部に着脱自在に取着されているので、この祝儀袋を例えば結婚式で使用した場合に、新郎及び新婦はその贈られた祝儀袋において装身具部を袋本体部から取り外して、例えば新郎が袋本体部の袋部をハンカチとして再利用することができ、新婦は装身具部をコサージュとして身体や衣服に付けて再利用することができる。したがって、本実施形態の祝儀袋は、結婚式の思い出の品物とてし、新郎・新婦に大切に長く使用されることになるので、資源の再利用を図ることができるだけでなく、他のハンカチやコサージュに比べて商品の長寿命化を図ることができる。
【００２５】
また、本実施形態の祝儀袋では、袋本体部の袋部と装身具部の装身具本体部とを布材で形成しているので、袋部と装身具本体部としては同じ柄或いは同じ色のもの使用することができ、若しくは同じ柄で色違いのものを使用することもできる。これにより、再利用する際のハンカチとコサージュとをデザイン的に統一のとれたものとすることができ、新郎・新婦によるハンカチとコサージュの再利用を促進することができる。
【００２６】
尚、本発明は上記の実施形態に限定されるものではなく、その要旨の範囲内において種々の変形が可能である。
【００２７】
例えば、上記の本実施形態の祝儀袋では、装身具部がコサージュである場合について説明したが、本発明はこれに限定されるものではなく、装身具部は身体や衣服に付け使用するものであれば、ブローチやイヤリングや指輪等であってもよい。
【００２８】
また、上記の実施形態の祝儀袋では、袋本体部の袋部がハンカチで形成された場合について説明したが、袋部は布材で形成されたものであれば、どのような布材を用いてもよく、例えば手拭いやネッカチーフ等を用いて形成されたものであってもよい。
【００２９】
更に、上記の本実施形態の祝儀袋では、装身具部をクリップ部で袋本体部に取着する場合について説明したが、装身具部はピン部を用いて袋本体部に取着するようにしてもよい。また、上記の本実施形態の祝儀袋では、装身具部における留具部がクリップ部とピン部とを有する場合について説明したが、留具部はクリップ部だけを有するものであってもよいし、ピン部だけを有するものであってもよい。また、留具部はクリップ部やピン部を有するものに限られるものではない。装身具部を袋本体部に着脱自在に取着することができ、且つ身体又は衣服に取り付けることができるものであれば、留具部はどのようなものであってもよい。
【００３０】
また、上記の本実施形態の祝儀袋では、水引部が既存の水引と同じ紙製である場合について説明したが、本発明はこれに限定されるものではなく、水引部は紙製ではなく、例えばプラスチック素材を用いてリング状に形成したものであってもよい。この場合の水引部の幅は、プラスチック素材の厚さにもよるが、水引部に留具部を用いて装身具部を取り着けることを考慮すると、約１０ｍｍ幅程度のものが望ましい。水引部の幅が狭いと、留具部を水引部にしっかりと固定することができず、装身具部を水引部に安定して取着することが難しくなるからである。また、水引部としてプラスチック素材を用いる場合、カラフルな色のものを用いてもよいし、目立たないように透明のものを使用してもよい。
【００３１】
また、上記の本実施形態の祝儀袋では、袋本体部が水引部を有する場合について説明したが、水引部はなくてもよい。この場合、装身具部は袋本体部に直に取着してもよいし、他の物、例えば袋部に着脱自在に貼着された布片を介して袋本体部に取着するようにしてもよい。
【００３２】
更に、上記の実施形態では、祝儀袋を結婚式で使用する場合について説明したが、本発明はこれに限定されるものではなく、かかる祝儀袋は、例えば金婚式や銀婚式等の結婚記念日に使用してもよいし、誕生祝い等の他の慶事に使用してもよい。
【産業上の利用可能性】
【００３３】
以上説明したように、本発明の祝儀袋によれば、装身具部が取着手段により袋本体部に着脱自在に取着されているので、本発明の祝儀袋を例えば結婚式で使用した場合、新郎及び新婦はその贈られた祝儀袋において装身具部を袋本体部から取り外して、例えば新郎が袋本体部の袋部をハンカチ等として再利用することができ、新婦は装身具部を身体や衣服に付けて再利用することができる。したがって、本発明は、結婚式等で使用する祝儀袋に適用することができる。
【符号の説明】
【００３４】
１０  祝儀袋
２０  袋本体部
２１  袋部
２２  水引部
２３  短冊
２５  中袋
３０  装身具部
３１  装身具本体部
３２  留具部
３２ａ  クリップ部
３２ｂ  ピン部
【図１】
2014084170.tif 000003
【図２】
2014084170.tif 000004
【図３】
2014084170.tif 000005